【事件の表示】
　平成　８年特許願第　４１９１１号「来訪者管理システム」拒絶査定不服審判事件〔平成　９年　９月　５日出願公開、特開平　９−２３１３６８〕について、次のとおり審決する。
【結　論】
　本件審判の請求は、成り立たない。
【理　由】
理由
第１　手続きの経緯
　本願は、平成８年２月２８日に出願されたものであって、平成１８年２月２４日付けで拒絶査定がなされ、これに対して平成１８年４月６日に拒絶査定不服審判が請求されると共に平成１８年５月８日に手続補正がなされたものである。
　
第２　平成１８年５月８日の手続補正についての補正却下の決定
［補正却下の決定の結論］
　平成１８年５月８日付けの手続補正を却下する。
［理由］
１．補正後の本願発明
　平成１８年５月８日付け手続補正書により、特許請求の範囲の請求項１は、
　「【請求項１】　来訪者の映像を捕らえるカメラと、
　前記来訪者の音声を捕らえるマイクと、
　前記来訪者の個人識別要因を捕らえ、個人識別データを発生する個人識別データ発生手段と、
　前記個人識別データを記憶する個人識別データ記憶領域を有するメモリ手段と、
　前記個人識別データ発生手段より発生された個人識別データと、前記個人識別データ記憶領域に記憶された個人識別データとを照合する照合手段と、
　前記来訪者の付随情報を入力する操作手段と、
　前記来訪者の個人識別データと記憶された個人識別データとが一致しない場合は、前記来訪者の個人識別データ、映像データ及び音声データを前記メモリ手段に記憶し、来訪者確認モードにおいて、家人を除いた前記来訪者の個人識別データを削除するかどうかを判断し、削除しない場合には、前記個人識別データと前記付随情報を前記メモリ手段に保存するように制御する制御手段とを具備することを特徴とする来訪者管理システム。」
と補正された。
　
２．補正の適否について
　平成１８年５月８日付けの手続補正は、補正前の請求項１に記載された発明を特定するために必要な事項に限定を付加するものであって、特許法第１７条の２第４項第２号の特許請求の範囲の減縮を目的とするものに該当する。
　そこで、平成１８年５月８日付けの手続補正後の請求項１に記載された発明（以下、「本願補正発明」という。）が特許出願の際独立して特許を受けることができるものであるか、すなわち平成１８年改正前特許法第１７条の２第５項において準用する同法第１２６条第５項の規定に適合するかどうかについて以下に検討する。
　
３．引用刊行物
（１）原審が拒絶の理由に引用した特開平５−８３７１４号公報（平成５年４月２日出願公開。以下、「引用例１」という。）には、図面とともに次の各記載がある。
　
（ア）「【０００１】
【産業上の利用分野】
本発明はテレビドアホンに関する
【０００２】
【従来の技術】従来、テレビドアホンとして、家人が来訪者を宅内において映像及び音声で確認したり、家人が外出先から帰宅したときに、来訪用件が録音されている場合に、来訪があったことをメッセージで知らせるようなものが知られている。
【０００３】
【発明が解決しようとする課題】前記従来のテレビドアホンは、家人の在宅中に来訪者が来訪した場合に、チャイム等で知らせたり、家人の外出中に来訪者が来訪した場合に、家人が不在である旨を音声により報知したり、来訪用件を記憶させたりしていた。ところが、家人の在宅中に面識の有無に拘わらず、来訪者が来訪したことを無条件にチャイム等で知らせたり、家人の外出中に来訪者が来訪した場合、来訪回数や面識の有無に拘わらず、同じ内容の不在メッセージを報知させ、その都度来訪者に来訪用件を話させ記憶させたりするために、来訪者への適切な対策及び対応ができないという欠点がある。
【０００４】そこで、本発明の目的は、来訪者の映像情報を記憶する映像メモリ部と、カメラで捕えた来訪者の映像を比較する映像比較部と、来訪回数を計数する計数部を用いることによって、家人が、以前に来訪があった来訪者かどうかや、面識の有無を容易に確認することができ、来訪者や来訪回数に対して適切なメッセージを予め設定しておけば、悪質な来訪者や懇意にしている来訪者に対して、適切な対策及び対応ができる利便性の高いテレビドアホンを提供することにある。
【０００５】
【課題を解決するための手段】前記目的を達成するため、本発明のテレビドアホンは、来訪者の呼び出し操作により、来訪があったことを宅内の家人に知らせる報知部と、
来訪者の映像を捕えるカメラ部
来訪者の映像を宅内で確認できる表示部
来訪者と宅内の家人とが通話できるハンドセット
家人の操作により屋外の映像及び音声を確認できる手段
テレビドアホン
来訪者の映像を認識する映像認識部
映像認識部で認識された情報を記憶する映像メモリ部
来訪者に報知するメッセージ及び来訪用件を記憶する音声メモリ部
映像メモリ部に記憶している情報を、カメラ部で捕え映像認識部で認識された新たな来訪者の情報と比較する映像比較部
音声発生部
【０００６】
【作用】家人が外出中の場合に、来訪者がテレビドアホンの呼び出しボタンを押した場合は、カメラ部が来訪者の映像を捕え、映像認識部で認識された映像情報を、映像メモリ部に記憶されている映像情報と映像比較部で比較する。このとき、
比較した結果が違う場合は、取り込んだ映像情報を新たに映像メモリに記憶する
一致した場合は、取り込んだ映像情報を映像メモリの情報と交換（更新記録）して計数部に１を加算する
計数値が０の場合（面識の無い来訪者の来訪）は
計数値が１の場合（再来訪）は
悪質な来訪者（過去に迷惑を被ったことがあり、家人が要注意人物として登録していたもの）だった場合
【０００７】家人が在宅中の場合に、来訪者がテレビドアホンの呼び出しボタンを押した場合は、カメラ部が来訪者の映像を捕え、映像認識部で認識された映像情報を、映像メモリ部に記録されている映像情報と映像比較部で比較する。このとき、
比較した結果が違う場合は、取り込んだ映像情報を新たに映像メモリに記録する
一致した場合は、取り込んだ映像情報を映像メモリの情報と交換（更新記録）し
計数値が０の場合（面識の無い来訪者の来訪）
計数値が１の場合で懇意にしている来訪者の場合
計数値が１の場合え悪質な来訪者の場合
【０００８】このように、コントロール部が来訪者や来訪回数を認識し、家人に代わって適切な対処をしたり家人に来訪状況を報知することにより、利便性の高いテレビドアホンを提供することができる。」
　なお、下線は審決において附された。以下、同様。
　
（イ）「【０００９】
【実施例】以下、本発明を図示の実施例により詳細に説明する。
【００１０】図１は本発明のテレビドアホンの一実施例を示すブロック図であり、このテレビドアホンは、
来訪者Ｈが呼び出し操作を行ったときに、来訪者Ｈの映像を捕えるカメラ部１
カメラ部１で捕えられた映像を認識する映像認識部２
映像認識部２で認識された情報を記憶する映像メモリ部３
映像認識部２で認識された情報を映像メモリ部３に記憶されている情報と比較する映像比較部４
来訪者Ｈの来訪用件及び、来訪者Ｈに報知するメッセージを記憶する音声メモリ部６
家人が来訪者Ｈと通話したり、来訪者Ｈに対して報知するメッセージを音声メモリ部６に記憶させるためのハンドセット８
来訪者Ｈの映像及び、映像メモリ部３に記憶されている情報を表示する表示部９
これらを制御するコントロール部１０
【００１１】図２乃至図４は、図１の構成図における来訪者Ｈに対しての指示を行うフローチャート図である。この図２乃至図４を元に動作を説明する。
【００１２】来訪者Ｈが呼び出しボタンを押す。
カメラ部１が来訪者Ｈの映像を捕える
映像認識部２は、捕えた映像を認識する
映像比較部４は、映像認識された情報を映像メモリ３に記憶されている情報と比較する
一致していない場合は、来訪日時を記憶し、映像認識された情報を映像メモリ３に記憶（新規記憶）する
計数値が１の場合は、面識者（以前から交流があり、家人が映像メモリ部３に必要な情報を記憶させている）及び要注意人物（過去に迷惑を被ったことがあり、家人が映像メモリ部３に必要な情報を記憶させている）を判断する
来訪者Ｈが面識者の場合
来訪者Ｈが要注意人物の場合
面識者、あるいは要注意人物のいずれでもない来訪者Ｈの場合は、チャイム等により家人に来訪があることを知らせる
【００１３】設定状態が外出中の場合は、コントロール部１０が計数部５の計数値を読み出す。
読み出した計数値が０の場合
来訪者Ｈが登録ボタンを押した場合は、音声メモリ部６に用件が記憶される
計数値が１の場合で面識者の場合
要注意人物の場合
面識者、あるいは要注意人物のいずれでもない来訪者Ｈの場合
来訪者Ｈが登録ボタンを押した場合は、音声メモリ部６に用件が記憶される
【００１４】また、
音声メモリ部６に来訪者Ｈに対するメッセージを記憶させる方法は、家人がコントロール部１０を操作して、映像メモリ部３に記憶されている情報を表示部９に呼び出し、計数部５の計数値に対応させた音声内容を、ハンドセット８を用いて自らの声で記憶させる
【００１５】さらに、
コントロール部１０は、来訪者Ｈの映像情報を映像メモリ部３に記憶させるときに同時に記憶させた日時を管理し、予め設定されていた保存期間が過ぎると映像メモリ部３と、音声メモリ部６と、計数部５から該当する情報を消去する。このとき、家人に情報消去の旨を映像及び音声で報知することにより注意を促す
【００１６】なお、計数値が２以上の場合にも同様に適切なメッセージを設定し、来訪者に対応する。
【００１７】このように、前記実施例によれば、
家人が予め映像メモリ部３の情報と、計数部５の計数値に対応させて、音声メモリ部６に、来訪者Ｈに対して報知するメッセージを自らの声で記憶させ、コントロール部１０が来訪者毎に適切な対応をする
【００１８】
【発明の効果】以上の説明で明らかなように、本発明のテレビドアホンは、従来のような、外出中に来訪者が来訪した場合に、来訪者の区別や来訪回数関係なくただ同じメッセージを報知したり、在宅中においても、来訪者の区別なしに、無条件で家人をチャイム等で呼び出すというテレビドアホンにおいて、
カメラ部で捕えた来訪者の映像を認識する映像認識部
映像認識部で認識された情報を記憶する映像メモリ部
来訪用件を記憶する音声メモリ部
映像メモリ部に記憶している情報を、カメラ部で捕え映像認識部で認識された新たな来訪の情報と比較する映像比較部
予め設定されている映像メモリの保存期間を管理することにより、映像メモリを有効に活用できるとともに、自動的に同一来訪者の場合に映像メモリの情報を更新する
利便性の高いテレビドアホンを提供する
　
　以上の記載からみて、引用例１には、次のような発明が記載されているものと認められる。
　「来訪者Ｈの映像を捕らえるカメラ部１と、
　前記来訪者Ｈの音声を捕らえるハンドセット８と、
　前記来訪者Ｈの個人識別要因を捕らえ、映像認識された情報を発生する映像認識部２と、
　前記映像認識された情報を記憶する映像情報記憶領域を有する映像メモリ３と、
　前記映像認識部２より発生された映像情報と、前記映像情報記憶領域に記憶された認識された映像情報とを照合する映像比較部４と、
　前記来訪者Ｈの付随情報を入力する操作手段と、
　前記来訪者Ｈの映像情報と記憶された映像情報とが一致しない場合は、前記来訪者Ｈの映像データ、音声データ、及び計数情報を、映像メモリ３、音声メモリ部６、及び計数部５に記憶し、該記憶操作後の確認モードにおいて、設定された保存期間に基づいて前記来訪者Ｈの映像情報、音声情報、及び計数情報を削除するかどうかを判断し、保存期間が過ぎている場合には、映像メモリ部３、音声メモリ部６、及び計数部５から、それぞれ、該当する映像情報、音声情報、及び計数情報を削除し、保存期間が経過しておらず削除しない場合には、前記映像情報、音声情報、及び計数情報を、前記映像メモリ３、音声メモリ部６、計数部５に保存したままにしておくように制御するコントロール部１０とを具備するテレビドアホン。」
　
４．対比
　本願補正発明と引用例１に記載された発明を対比すると、
（１）引用例１に記載された発明の「来訪者の映像を捕らえるカメラ部１」は、本願補正発明の「来訪者の映像を捕らえるカメラ」に相当する。
（２）引用例１に記載された発明は、来訪者と宅内の家人とが通話できるハンドセット８と来訪者の来訪用件を記憶する音声メモリ部６とを備えている（第２頁右欄第４，５行、第２頁右欄第１０行、第３頁左欄第２８〜３６行、及び第３頁右欄第２４〜３９行の記載参照。）から、引用例１に記載された発明の「ハンドセット６」は、本願補正発明の「来訪者の音声を捕らえるマイク」に相当する。
（３）引用例１に記載された発明の「映像認識部２」は、本願補正発明の「個人識別データ発生手段」に相当する。
（４）引用例１に記載された発明の「映像認識部２で認識された情報を記憶する映像メモリ３」は、本願補正発明の「個人識別データを記憶する個人識別データ記憶領域を有するメモリ手段」に相当する。
（５）引用例１に記載された発明の「映像比較部４」は、本願補正発明の「照合手段」に相当する。
（６）引用例１には、来訪者の付随情報を予め入力することが記載されている（第３頁右欄第６〜１０行、及び段落【００１７】の記載参照。）から、引用例１に記載された発明は、来訪者の付随情報を入力する操作手段を備えているといえる。
（７）引用例１には、来訪者を表示部９にモニター表示し来訪者の用件を音声メモリ部６に記憶するテレビドアホンであって、映像認識された情報と映像メモリ３に記憶されている情報とを、映像比較部４で比較し、一致しない場合、すなわち来訪者が面識者あるいは要注意人物のいずれでもなく、それ故に映像メモリ３に登録されていない場合、チャイム等により見知らぬ人の来訪がある旨を家人に知らせると共に、来訪者の来訪日時を記憶し、来訪者の用件を音声メモリ部６に記憶し、かつ映像認識された情報を映像メモリ３に新規記憶するテレビドアホンが記載されている（第３頁左欄第４６〜４８行の記載、第３頁右欄第１〜２０行の記載、段落【０００７】の記載、及び図２の「来訪日時を記憶し情報を新規記憶する」の記載を参照。）から、本願補正発明と引用例１に記載された発明とは、
　「来訪者の個人識別データと記憶された個人識別データとが一致しない場合は、前記来訪者の映像データ及び音声データを前記メモリ手段に記憶する」で一致する。
（８）引用例１に記載された発明の「テレビドアホン」は、本願補正発明の「来訪者管理システム」に相当する。
　
　そうすると、引用例１に記載された発明と本願補正発明とは、
　「来訪者の映像を捕らえるカメラと、
　前記来訪者の音声を捕らえるマイクと、
　前記来訪者の個人識別要因を捕らえ、個人識別データを発生する個人識別データ発生手段と、
　前記個人識別データを記憶する個人識別データ記憶領域を有するメモリ手段と、
　前記個人識別データ発生手段より発生された個人識別データと、前記個人識別データ記憶領域に記憶された個人識別データとを照合する照合手段と、
　前記来訪者の付随情報を入力する操作手段と、
　前記来訪者の個人識別データと記憶された個人識別データとが一致しない場合は、前記来訪者の映像データ及び音声データを前記メモリ手段に記憶し、確認モードにおいて、前記来訪者のデータを削除するかどうかを判断し、削除しない場合には、前記来訪者のデータを前記メモリ手段に保存するように制御する制御手段とを具備する来訪者管理システム。」
である点で一致し、以下の点で相違する。
　
【相違点】　本願補正発明が、来訪者の個人識別データと記憶された個人識別データとが一致しない場合は、前記来訪者の個人識別データ、映像データ及び音声データを前記メモリ手段に記憶し、来訪者確認モードにおいて、家人を除いた前記来訪者の個人識別データを削除するかどうかを判断し、削除しない場合には、前記個人識別データと前記付随情報を前記メモリ手段に保存するように制御する制御手段とを具備しているのに対し、
　引用例１に記載された発明は、来訪者の映像認識されたデータと映像メモリ３に記憶されている情報とが一致しない場合は、前記来訪者の来訪日時、計数情報、映像情報、及び音声情報をメモリ手段に記憶し、確認モードにおいて、来訪者の映像情報、音声情報、及び計数情報を保存期間に基づいて削除するかどうかを判断し、削除しない場合には、前記来訪者の映像情報、音声情報、及び計数情報を映像メモリ部３、音声メモリ部６、及び計数部５に記憶したままにしておくように制御するコントロール部１０とを具備している点。
　すなわち、引用例１に記載された発明は、一致しない場合には、個人識別データをメモリ手段に記憶するとは明記せず、そして削除しない場合には、個人識別データと付随情報をメモリ手段に保存するとは明記しない点。
　
５．判断
（ｉ）識別データと付随情報を記憶または保存する点について
　識別データと付随情報を記憶または保存する点について判断するに、例えば、特開平２−６７８８９号公報には、顔画像の特徴及び音声の特徴を抽出して個人を識別し、得られた個人識別データと個人に関する付随情報（氏名、所属、役職等）とを共にメモリ手段に格納しデータベースを作成し、その後個人情報が必要な時に、前記個人識別データをキーにしてデータベースを検索し記憶されている付随情報を読み出すことが記載されている。そして、原審が拒絶の理由に引用した特開平８−５５１３３号公報には、顔画像の特徴を抽出して個人を識別し、得られた個人識別データと個人に関する人物属性データすなわち付随情報（氏名、年齢、職業、会社名、所属、趣味、嗜好、住所、家族構成等）を共にメモリ手段に格納しデータベースを作成することが記載されている。また、同引用例（特開平８−５５１３３号公報）には、始めての来訪者の場合すなわち来訪者の個人識別データと記憶された個人識別データとが一致しない場合、個人識別データと人物属性データ（付随情報）をメモリに追加記憶しデータベースを更新拡張することも記載されている（段落【００３８】参照。）。
　以上のことを踏まえると、来訪者の個人識別データと記憶された個人識別データとが一致しない場合、本願補正発明の如く、個人識別データをメモリ手段に記憶し、削除しない場合には、個人識別データと付随情報をメモリ手段に保存することは、引用例１に記載された発明及び前記周知及び公知技術事項とに基づいて当業者が適宜なし得ることである。
（ｉｉ）家人を除いて削除する点について
　先述したように引用例１には、システムが、保存期間経過後の映像情報、音声情報、計数情報を、家人監視の下で、映像メモリ部３、音声メモリ部６、計数部５から消去することが記載されており（段落【００１５】の記載参照。）、また、例えば、特開平５−２７６２５７号公報、特開平１−１８３２５４号公報にも、保存していた来訪者の音声情報のうち不必要なものを削除するインターホンシステム及び自動応対メッセージ装置が記載されており、記憶しているデータのうち必要もしくは不必要を判断し、必要のないデータを削除し必要のあるデータを保存することは、当業者ならぬ一般操作者であっても適宜なし得ることは自明である。特に、家人を除いて削除する点について判断するに、データベースは日々更新されるものであって、データベースの更新・拡張・削除は日常的に行われている当業者の技術常識である。そして、データベースに登録する対象者をどのような範囲とするか、登録すべき各対象者についてどのようなデータを記憶するか、及び削除するに際してどのデータを削除するかは、データベース作成者が任意に決定すべき単なる設計事項程度のことにすぎないから、本願補正発明の如く、不必要なデータを削除するに際し、家人を除いた範囲とすることは当業者が適宜なし得ることである。
　
　以上述べた如く、本願補正発明は、引用例１に記載された発明及び周知及び公知技術に基づいて当業者が容易に発明をすることができたものであるから、特許法２９条２項の規定により、特許出願の際独立して特許を受けることができないものである。
　そして、本願補正発明の奏する作用効果は、引用例１に記載された発明及び周知及び公知技術の奏する作用効果から予測される範囲内のものにすぎず、格別顕著なものということはできない。
　
　なお、カメラ及びマイクを具備したドアホンであって、留守中に訪問者があった場合訪問者の音声及び映像情報を共にデジタルデータ記憶装置に記憶しておき、帰宅後の確認モードにおいて、訪問者の音声による伝言及び訪問者の映像を再生することは、特開平６−６８０６号公報にもその旨が記載されているように当業者に良く知られた技術事項である。
　なお、本件特許請求の範囲の請求項１には記載がないから判断する必要のないことではあるが、個人識別要因として引用例１に記載された発明は、来訪者の映像情報を用いているが、指紋を用いた来訪者管理システムは、原審が拒絶の理由に引用した特開昭６４−１９８８８号公報に記載されているように当業者には周知である。
６．本件補正についてのむすび
　以上のとおり、本件補正は、平成１８年改正前特許法１７条の２第５項において準用する同法１２６条５項の規定に違反するものであり、同法１５９条１項において読み替えて準用する同法５３条１項の規定により却下されるべきものである。
　
第３　本願発明について
１．本願発明
　平成１８年５月８日付けの手続補正は、上記のとおり却下されるから、本願の特許請求の範囲の請求項１に係る発明（以下、「本願発明」という。）は、平成１７年１２月５日付けの手続補正書により補正された特許請求の範囲の請求項１に記載された次のとおりのものである。
　「【請求項１】　来訪者の映像を捕らえるカメラと、
　前記来訪者の音声を捕らえるマイクと、
　前記来訪者の個人識別要因を捕らえ、個人識別データを発生する個人識別データ発生手段と、
　前記個人識別データを記憶する個人識別データ記憶領域を有するメモリ手段と、
　前記個人識別データ発生手段より発生された個人識別データと、前記個人識別データ記憶領域に記憶された個人識別データとを照合する照合手段と、
　前記来訪者の付随情報を入力する操作手段と、
　前記来訪者の個人識別データと記憶された個人識別データとが一致しない場合は、前記来訪者の個人識別データ、映像データ及び音声データを前記メモリ手段に記憶し、来訪者確認モードにおいて、前記来訪者の個人識別データを削除するかどうかを判断し、削除しない場合には、前記個人識別データと前記付随情報を前記メモリ手段に保存するように制御する制御手段とを具備することを特徴とする来訪者管理システム。」
　
２．引用刊行物
　原査定の拒絶の理由に引用された引用例１及びその記載事項は、前記「第２の３．」に記載したとおりである。
　
３．対比・判断
　本願発明は、前記「第２」の項で検討した本願補正発明から、発明を限定する事項である
　「家人を除いた」
を省いたものである。
　そうすると、本願発明を特定する事項をすべて含む本願補正発明が、前記「第２の４．」、「第２の５．」に記載したとおり、引用例１に記載された発明及び周知技術に基づいて当業者が容易に発明をすることができたものであるから、本願発明も、同様の理由により、引用例１に記載された発明及び周知及び公知技術に基づいて当業者が容易に発明をすることができたものである。
　
４．むすび
　以上のとおり、本願発明は、引用例１に記載された発明及び周知及び公知技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。